【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
コンピュータ実装方法であって、
電子デバイスの画面上にユーザ・インターフェースの複数の構成要素を階層的に配置することであって、階層は、１つまたは複数のレイヤを有し、各レイヤは、少なくとも１つのユーザ・インターフェース構成要素を有する、前記配置すること、
前記ユーザ・インターフェースの第１のレイヤ上にバックグラウンド構成要素を準備すること、
前記第１のレイヤと重なる、前記ユーザ・インターフェースの第２のレイヤ上に複数のコンテンツ・アイテムを表示することであって、
第１のフォント・サイズの１つまたは複数のテキストの行を含む、複数のコンテンツ・アイテムのうちの１つのコンテンツ・アイテムを第１の所定のサイズで表示すること、
該コンテンツ・アイテムに関連するコメントの連続の第１の部分を、前記ユーザ・インターフェース上の前記コンテンツ・アイテムに隣接する第１の空間に表示すること、
ユーザがコメントの連続を下にスクロールするのに応答し、かつ前記バックグラウンド構成要素の前記第１のレイヤ上の表示を維持している間に、
前記コンテンツ・アイテムを前記第１の所定のサイズよりも小さな第２の所定のサイズに調整し、かつテキストの行を前記第１のフォント・サイズよりも小さな第２のフォント・サイズに調整して、前記コンテンツ・アイテムの前記第２の所定のサイズの全体が、前記第１の所定のサイズよりもコンピューティング・デバイスの画面上のより少ない空間を占めるように表示されるようにすること、
前記第１の部分よりも多くのコメントを含む、コメントの連続の第２の部分を前記第１の空間よりも大きな第２の空間に表示することを含む、前記表示すること
を含む、コンピュータ実装方法。
【請求項２】
前記ユーザがコメントの前記連続を上にスクロールするのに応答して、
該コンテンツ・アイテムを第３の所定のサイズに調整して、前記コンテンツ・アイテムの前記第３の所定のサイズの全体が、前記第２の所定のサイズよりも前記コンピューティング・デバイスの画面上のより多くの空間を占めるように表示されるようにすること、
前記第２の部分よりも少ないコメントを含む、コメントの連続の第３の部分を、前記第２の空間よりも小さな第３の空間に表示することをさらに含む、請求項１に記載の方法。
【請求項３】
前記コンテンツ・アイテムが１つまたは複数の行のテキストを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該１つまたは複数の行のテキストを表示するのに使用されるフォント・サイズを小さくすることを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占めるように表示されるようにすることが、該１つまたは複数の行のテキストを表示するのに使用される該フォント・サイズを大きくすることを含む、請求項２に記載の方法。
【請求項４】
前記コンテンツ・アイテムが１つまたは複数の行のテキストを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該コンピューティング・デバイスの該画面上に表示されるテキストの行数を削減することを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占めるように表示されるようにすることが、該コンピューティング・デバイスの該画面上に表示されるテキストの行数を増加させることを含む、請求項２に記載の方法。
【請求項５】
前記コンテンツ・アイテムがイメージを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該イメージのサイズを縮小することを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占めるように表示されるようにすることが、該イメージの該サイズを拡大することを含む、請求項２に記載の方法。
【請求項６】
ソフトウェアを組み入れた１つまたは複数のコンピュータ可読非一時的記憶媒体であって、該ソフトウェアが、実行されたときに、
電子デバイスの画面上にユーザ・インターフェースの複数の構成要素を階層的に配置し、階層は、１つまたは複数のレイヤを有し、各レイヤは、少なくとも１つのユーザ・インターフェース構成要素を有し、
前記ユーザ・インターフェースの第１のレイヤ上にバックグラウンド構成要素を準備し、
前記第１のレイヤと重なる、前記ユーザ・インターフェースの第２のレイヤ上に複数のコンテンツ・アイテムを表示し、この表示において、
第１のフォント・サイズの１つまたは複数のテキストの行を含む、複数のコンテンツ・アイテムのうちの１つのコンテンツ・アイテムを第１の所定のサイズで表示し、
該コンテンツ・アイテムに関連するコメントの連続の第１の部分を、前記ユーザ・インターフェース上の前記コンテンツ・アイテムに隣接する第１の空間に表示し、
ユーザがコメントの連続を下にスクロールするのに応答し、かつ前記バックグラウンド構成要素の前記第１のレイヤ上の表示を維持している間に、
前記コンテンツ・アイテムを前記第１の所定のサイズよりも小さな第２の所定のサイズに調整し、かつテキストの行を前記第１のフォント・サイズよりも小さな第２のフォント・サイズに調整して、前記コンテンツ・アイテムの前記第２の所定のサイズの全体が、前記第１の所定のサイズよりもコンピューティング・デバイスの画面上のより少ない空間を占めるように表示されるようにし、
該第１の部分よりも多くのコメントを含む、コメントの連続の第２の部分を、前記第１の空間よりも大きな第２の空間に表示するように動作可能である、媒体。
【請求項７】
前記ソフトウェアが、実行されたときに、
前記ユーザがコメントの前記連続を上にスクロールするのに応答して、
該コンテンツ・アイテムを第３の所定のサイズに調整して、前記コンテンツ・アイテムの前記第３の所定のサイズの全体が、前記第２の所定のサイズよりも前記コンピューティング・デバイスの画面上のより多くの空間を占めるように表示されるようにし、
前記第２の部分よりも少ないコメントを含む、コメントの連続の第３の部分を、前記第２の空間よりも小さな第３の空間に表示するようにさらに動作可能である、請求項６に記載の媒体。
【請求項８】
前記コンテンツ・アイテムが１つまたは複数の行のテキストを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該１つまたは複数の行のテキストを表示するのに使用されるフォント・サイズを小さくすることを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占めるように表示されるようにすることが、該１つまたは複数の行のテキストを表示するのに使用される該フォント・サイズを大きくすることを含む、請求項７に記載の媒体。
【請求項９】
前記コンテンツ・アイテムが１つまたは複数の行のテキストを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該コンピューティング・デバイスの該画面上に表示されるテキストの行数を削減することを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占めるように表示されるようにすることが、該コンピューティング・デバイスの該画面上に表示されるテキストの行数を増加させることを含む、請求項７に記載の媒体。
【請求項１０】
前記コンテンツ・アイテムがイメージを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該イメージのサイズを縮小することを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占める表示されるようにすることが、該イメージの該サイズを拡大することを含む、請求項７に記載の媒体。
【請求項１１】
システムであって、
１つまたは複数のプロセッサと、
該プロセッサに結合され、該プロセッサによって実行可能な命令を含むメモリと
を備え、該プロセッサが、該命令を実行したときに、
電子デバイスの画面上にユーザ・インターフェースの複数の構成要素を階層的に配置し、階層は、１つまたは複数のレイヤを有し、各レイヤは、少なくとも１つのユーザ・インターフェース構成要素を有し、
前記ユーザ・インターフェースの第１のレイヤ上にバックグラウンド構成要素を準備し、
前記第１のレイヤと重なる、前記ユーザ・インターフェースの第２のレイヤ上に複数のコンテンツ・アイテムを表示し、この表示において、
第１のフォント・サイズの１つまたは複数のテキストの行を含む、複数のコンテンツ・アイテムのうちの１つのコンテンツ・アイテムを第１の所定のサイズで表示し、
電子デバイスの画面上にユーザ・インターフェースの複数の構成要素を階層的に配置し、階層は、１つまたは複数のレイヤを有し、各レイヤは、少なくとも１つのユーザ・インターフェース構成要素を有し、
前記ユーザ・インターフェースの第１のレイヤ上にバックグラウンド構成要素を準備し、
前記第１のレイヤと重なる、前記ユーザ・インターフェースの第２のレイヤ上に複数のコンテンツ・アイテムを表示し、この表示において、
第１のフォント・サイズの１つまたは複数のテキストの行を含む、複数のコンテンツ・アイテムのうちの１つのコンテンツ・アイテムを第１の所定のサイズで表示し、
該コンテンツ・アイテムに関連するコメントの連続の第１の部分を、前記ユーザ・インターフェース上の前記コンテンツ・アイテムに隣接する第１の空間に表示し、
ユーザがコメントの連続を下にスクロールするのに応答し、かつ前記バックグラウンド構成要素の前記第１のレイヤ上の表示を維持している間に、
前記コンテンツ・アイテムを前記第１の所定のサイズよりも小さな第２の所定のサイズに調整し、かつテキストの行を前記第１のフォント・サイズよりも小さな第２のフォント・サイズに調整して、前記コンテンツ・アイテムの前記第２の所定のサイズの全体が、前記第１の所定のサイズよりもコンピューティング・デバイスの画面上のより少ない空間を占めるように表示されるようにし、
該第１の部分よりも多くのコメントを含む、コメントの連続の第２の部分を、前記第１の空間よりも大きな第２の空間に表示するように動作可能である、システム。
【請求項１２】
前記プロセッサが、前記命令を実行したときに、
前記ユーザがコメントの前記連続を上にスクロールするのに応答して、
該コンテンツ・アイテムを第３の所定のサイズに調整して、前記コンテンツ・アイテムの前記第３の所定のサイズの全体が、前記第２の所定のサイズよりも前記コンピューティング・デバイスの画面上のより多くの空間を占めるように表示されるようにし、
前記第２の部分よりも少ないコメントを含む、コメントの連続の第３の部分を、前記第２の空間よりも小さな第３の空間に表示するようにさらに動作可能である、請求項１１に記載のシステム。
【請求項１３】
前記コンテンツ・アイテムが１つまたは複数の行のテキストを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該１つまたは複数の行のテキストを表示するのに使用されるフォント・サイズを小さくすることを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占めるように表示されるようにすることが、該１つまたは複数の行のテキストを表示するのに使用される該フォント・サイズを大きくすることを含む、請求項１２に記載のシステム。
【請求項１４】
前記コンテンツ・アイテムが１つまたは複数の行のテキストを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該コンピューティング・デバイスの該画面上に表示されるテキストの行数を削減することを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占めるように表示されるようにすることが、該コンピューティング・デバイスの該画面上に表示されるテキストの行数を増加させることを含む、請求項１２に記載のシステム。
【請求項１５】
前記コンテンツ・アイテムがイメージを含み、
前記コンテンツ・アイテムを前記第２の所定のサイズに調整して、該コンテンツ・アイテムの前記第２の所定のサイズの全体が、前記第１の所定のサイズよりも前記コンピューティング・デバイスの画面上のより少ない空間を占めるように表示されるようにすることが、該イメージのサイズを縮小することを含み、
該コンテンツ・アイテムを前記第３の所定のサイズに調整して、該コンテンツ・アイテムの前記第３の所定のサイズの全体が、前記第２の所定のサイズよりも前記コンピューティング・デバイスの画面上のより多くの空間を占めるように表示されるようにすることが、該イメージの該サイズを拡大することを含む、請求項１２に記載のシステム。